(57)【特許請求の範囲】
【請求項１】
被印刷物を乾燥させるための熱風循環式オートラック乾燥機であって、
前記熱風循環式オートラック乾燥機は、
コンベアチェーンと、
前記コンベアチェーンを駆動させる駆動手段と、
前記コンベアチェーンに取り付けられた、前記被印刷物を保持する複数のリーフとを備え、
前記複数のリーフを、前記熱風循環式オートラック乾燥機の設置面に対して垂直な平面内で反転させて循環移動させるものであり、
前記各リーフは、所定の角度範囲内で傾斜することができるように前記コンベアチェーンにそれぞれ取り付けられており、
さらに、前記熱風循環式オートラック乾燥機は、
前記リーフが、前記熱風循環式オートラック乾燥機の設置面に対して垂直な姿勢から更に反転方向への移動中に、該リーフ自身の自重による重心移動によって前記所定の角度範囲内で傾斜するときの該リーフの回転角度を一定にする回転角度制御手段を備えていることを特徴とする熱風循環式オートラック乾燥機。
【請求項２】
前記回転角度制御手段は、前記熱風循環式オートラック乾燥機の設置面に対して垂直な姿勢から更に反転方向へ移動するリーフに対し、前記所定の角度範囲内で該リーフが傾斜する間摺接し、該リーフの回転角度を一定にしていることを特徴とする請求項１に記載の熱風循環式オートラック乾燥機。
【請求項３】
前記回転角度制御手段は、前記熱風循環式オートラック乾燥機の設置面に対して垂直な姿勢から更に反転方向へ移動するリーフに対し、前記所定の角度範囲内で該リーフが傾斜する間摺接すると共に、該リーフと前方及び後方に位置する複数の他のリーフのうち少なくとも一つのリーフに対しても摺接することを特徴とする請求項２に記載の熱風循環式オートラック乾燥機。
【請求項４】
前記リーフには、該リーフの軸線方向に対して傾斜したアームストッパーが設けられ、
前記リーフは、隣接する他のリーフと、互いのアームストッパーどうしが当接可能になっており、
前記アームストッパーの前記リーフの軸線方向に対する傾斜角度は、該リーフが移動方向に前記所定の角度範囲内の最大角度で傾斜する前に、該アームストッパーどうしが当接される角度に設定されており、
互いのアームストッパーどうしが当接されて連結された複数のリーフは、前記熱風循環式オートラック乾燥機の設置面に対して垂直な姿勢から更に反転方向へ移動するリーフを含んでおり、
前記回転角度制御手段は、前記熱風循環式オートラック乾燥機の設置面に対して垂直な姿勢から更に反転方向へ移動するリーフの前記回転角度を一定にするために、互いのアームストッパーどうしが当接されて連結された複数のリーフのうち少なくとも一つのリーフに対して摺接することを特徴とする請求項１に記載の熱風循環式オートラック乾燥機。
【請求項５】
前記回転角度制御手段が摺接するリーフには、前記熱風循環式オートラック乾燥機の設置面に対して垂直な姿勢から更に反転方向へ移動するリーフが除かれていることを特徴とする請求項４に記載の熱風循環式オートラック乾燥機。
【請求項６】
前記回転角度制御手段は、位置調節可能であることを特徴とする請求項１乃至５のうちのいずれか一つに記載の熱風循環式オートラック乾燥機。
【請求項７】
前記回転角度制御手段と前記リーフの少なくとも一方には、該回転角度制御手段と該リーフとの摺接摩擦を低減する摩擦低減手段が設けられていることを特徴とする請求項２乃至５のうちのいずれか一つに記載の熱風循環式オートラック乾燥機。
【請求項８】
請求項１乃至７のうちのいずれか一つに記載された熱風循環式オートラック乾燥機を用いて、被印刷物を乾燥させる乾燥方法。
【発明の詳細な説明】
【技術分野】
【０００１】
本発明は、熱風循環式オートラック乾燥機及びこれを用いた乾燥方法に関するものであり、特に、印刷紙などの被印刷物の乾燥に適用可能な熱風循環式オートラック乾燥機及びこれを用いた乾燥方法に関するものである。
【背景技術】
【０００２】
従来において、種々の乾燥機が知られている（例えば、特許文献１及び２参照。）。
【特許文献１】特開平３−２８８７０９号公報
【特許文献２】特開平５−２０８７２８号公報
【０００３】
図７には、一般的な、印刷紙などの被印刷物の乾燥に使用されている熱風循環式オートラック乾燥機の概略図を示している。この熱風循環式オートラック乾燥機５０は、いわゆるウィケットコンベア型であり、図７乃至図９に示すように、乾燥機５０の長手方向の両端側にそれぞれ設けられたスプロケット６０に巻回されたコンベアチェーン（図示せず）が乾燥機５０の長手方向に対して直交する幅方向に並列配置され、この各コンベアチェーンの外周に、一定間隔で配置された複数のリーフ５１が取り付けられており、コンベアチェーンをモータ等の駆動手段によって駆動させることにより、各リーフ５１が乾燥機５０の本体内を、該乾燥機５０の設置面に対して垂直な平面内で反転されて循環移動（搬送）されるようになっている。
【０００４】
図１０には、乾燥機５０内を循環移動されるリーフ５１の平面図を示している。リーフ５１は、リーフ本体の幅方向に伸びたメインシャフト５２を有している。メインシャフト５２には、その軸線方向に対して直交する方向に伸びたＵ字状のリーフ部５３が、その二つの基端部分が適宜の手段（例えば溶接など）によって取り付けられることによって、複数設けられている。図示のリーフ５１は、メインシャフト５２に５つのリーフ部５３が取り付けられており、中心に位置するリーフ部５３（以下、中心リーフ部５３という）は、他のリーフ部５３よりも縦方向寸法が長く、その基端部分がメインシャフト５２を超えて伸びている。図１０及び図１１に示すように、中心リーフ部５３の二つの基端部分は、メインシャフト５２の軸線方向に伸びたスプリング用シャフト５４で互いに連結されている。スプリング用シャフト５４は、その長さが中心リーフ部５３の幅寸法よりも長く設定されており、そのため、中心リーフ部５３の各基端部分から外方（メインシャフト５２の軸線方向）に突出してそれぞれ伸びている。スプリング用シャフト５４には、中心リーフ部５３の二つの基端部分の間に、グリッパー５５が回動可能に取り付けられている。グリッパー５５は、基端部５５ａと先端部５５ｂとで構成され、基端部５５ａと先端部５５ｂとにより横断面が概ねＬ字状に形成されている。また、図１１によく示すように、スプリング用シャフト５４には、中心リーフ部５３の各基端部分から外方に突出した部分にキックスプリング５６がそれぞれ取り付けられている。キックスプリング５６は、その一端がメインシャフト５２に係合し、その他端がグリッパー５５の基端部５５ａに係合しており、スプリング用シャフト５４を中心としてグリッパー５５の先端部５５をメインシャフト５２側に押圧するように付勢している。
【０００５】
また、メインシャフト５２の両端部は、上述の乾燥機５０の左右一対のコンベアチェーン（図示せず）に取り付けられている。図１０及び図１２に示すように、メインシャフト５２の各端部には、ブラケット５７が回動可能にそれぞれ取り付けられている。ブラケット５７は、基部５７ａと該基部５７ａに連結された円筒部５７ｂとで主に構成されており、基部５７ａがコンベアチェーンに適宜の手段によって固定されており、一方、円筒部５７ｂはメインシャフト５２に回転可能に取り付けられている。メインシャフト５２には、該メインシャフト５２に回転可能に取り付けられた円筒部５７ｂを挟むように一対のストッパー５８が固着されている。図１２（ａ）によく示すように、このストッパー５８は、断面が概ねＵ字状に形成されていて、ブラケット５７に対するメインシャフト５２の回転角度を所定の角度（図示のものは略４０度）範囲内に規制するためのものである。図１２（ａ）によく示すように、ストッパー５８の一端部５８ａとブラケット５７の基部５７ａとの当接によりメインシャフト５２の一方方向の回転（図示の場合、反時計方向の回転）が規制されると共に、ストッパー５８の他端部５８ｂとブラケット５７の基部５７ａとの当接によりメインシャフト５２の他方方向の回転（図示の場合、時計方向の回転）が規制されるようになっている。図示のストッパー５８は、ブラケット５７に対するメインシャフト５２の回転角度の範囲が略４０度となるように一端部５８ａ及び他端部５８ｂの長さ寸法等が設定されている。従って、リーフ５１のメインシャフト５２は、ブラケット５７（及びブラケット５７が固定されたコンベアチェーン）に対して、ストッパー５８で規制された所定の角度（図示のものは略４０度）の範囲内で回転することができる。すなわち、リーフ５１は、この所定の角度範囲内でコンベアチェーンに対してメインシャフト５２を中心として循環移動方向に傾斜（回転）することができる。
【０００６】
また、メインシャフト５２の各端部には、ブラケット５７の内側近傍にアームストッパー５９がそれぞれ取り付けられている。図１１によく示すように、このアームストッパー５９は、リーフ部５３の軸線方向に対して所定の角度（図示のものは略４８度）に傾斜した状態でメインシャフト５２に取り付けられている。リーフ５１は、隣接する他のリーフと、互いのアームストッパー５９どうしが当接可能になっている。アームストッパー５９のリーフ５１の軸線方向に対する傾斜角度は、リーフ５１が移動方向に上記所定の角度範囲内の最大角度で傾斜する前（換言すれば、ストッパー５８の一端部５８ａとブラケット５７の基部５７ａとが当接する前）に、該アームストッパーどうしが当接される角度に設定されている。従って、互いのアームストッパーどうしが当接されて連結された複数のリーフは、乾燥機５０の設置面に対して垂直な姿勢から更に反転方向へ移動するリーフを含んでいる。
【０００７】
図７に示すように、この熱風循環式オートラック乾燥機５０には、その上流側に印刷機２０が配置されていると共に、その下流側である乾燥機５０と印刷機２０との間にスタッカー６１が配置されている。図７及び図８に示すように、熱風循環式オートラック乾燥機５０の上流側に配置された印刷機２０で印刷された被印刷物（図８において符号１００で示す）は、印刷機２０のフィーダーから熱風循環式オートラック乾燥機５０の投入部６２に搬送され、該投入部６２においてリーフ５１の中心リーフ部５３の基端部分に設けられたグリッパー５５によって被印刷物１００の基端部が把持された状態でリーフ５１のリーフ部５３上に載せられる。そして、各リーフ５１に保持された被印刷物１００は、乾燥機５０の上部分の熱風乾燥部６３を循環される間に熱風乾燥され、反転部６４で反転された後、下部分の冷却部６５を循環される間に冷却される。そして、投入部６２の下方位置においてグリッパー５５が開くことにより被印刷物１００の基端部の把持が解除され、その後、被印刷物１００は、乾燥機５０と印刷機２０との間に配置されたスタッカー６１に順次集積される。
【発明の開示】
【発明が解決しようとする課題】
【０００８】
上述のように、熱風循環式オートラック乾燥機５０における乾燥工程及び冷却工程を最小限のスペースで効率的に処理するために、複数のリーフ５１は、乾燥機５０の本体内を、該乾燥機５０の設置面に対して垂直な平面内で反転させて循環移動される構造になっている。乾燥機５０の上部分の熱風乾燥部６３では、被印刷物１００を乾燥させるために熱風が循環されており、被印刷物１００の歪みを抑える等の理由からリーフ５１を一定の角度に傾斜させた状態で移動させて、このリーフ５１に保持された被印刷物１００をその一定の角度に傾斜した状態で移動させている。一方、乾燥機５０の下部分の冷却部６５では、各リーフ５１を垂下状態で移動させて、このリーフ５１に保持された被印刷物１００を垂下状態で移動させている（図８及び図９参照）。このため、リーフ５１は、乾燥機５０内の循環移動中の移動位置に応じて異なる姿勢に保持されることができるように、所定の角度範囲内で循環移動方向に傾斜（回転）可能にコンベアチェーンに取り付けられている。上述の乾燥機５０のリーフ５１は、ストッパー５８及びアームストッパー５９で移動位置に応じて異なる姿勢に保持されるようになっている。以下、乾燥機５０内の循環移動中のリーフ５１の姿勢の変化について図７乃至図１２を参照しながら述べる。
【０００９】
上述のように、印刷機２０で印刷された被印刷物１００は、印刷機６０のフィーダーから熱風循環式オートラック乾燥機５０の投入部６２に搬送され、該投入部６２において、リーフ５１の中心リーフ部５３の基端部分に設けられたグリッパー５５によって被印刷物１００の基端部が把持された状態でリーフ５１のリーフ部５３上に載せられ、投入部６２から熱風乾燥部６３へ循環移動される。このとき、リーフ５１のストッパー５８の他端部５８ｂとブラケット５７の基部５７ａとが当接しており、リーフ５１は、ブラケット５７（及びブラケット５７が固定されたコンベアチェーン）に対してこの当接によって所定の角度に傾斜した姿勢に保持されており、熱風乾燥部６３を循環移動中においても、この姿勢に保持されている。
【００１０】
そして、熱風乾燥部６３を循環移動中に熱風乾燥された被印刷物１００は、熱風乾燥部６３から反転部６４へ循環移動され、反転部６４で反転される。このとき、リーフ５１は、上記所定の角度に傾斜した姿勢から乾燥機５０の設置面に対して垂直な姿勢になり、この垂直姿勢から更に反転方向に移動すると、リーフ自身の自重によって重心移動し、リーフ５１のストッパー５８の他端部５８ｂとブラケット５７の基部５７ａとの当接状態が解除されて、アームストッパー５９が前方の隣接するリーフ５１のアームストッパー５９と当接する姿勢まで（すなわち、上記所定の角度範囲内で）傾斜（回転）する。そして、リーフ５１は、この姿勢から更に反転方向に移動すると、リーフ５１のアームストッパー５８が隣接する前方及び後方のリーフのアームストッパーと当接し、この当接によって、乾燥機５０の設置面に対して垂直な姿勢から更に反転方向へ移動するリーフを含む複数のリーフが、互いのアームストッパーどうしが当接されて連結される（このとき、ストッパー５８の一端部５８ａとブラケット５７の基部５７ａとが当接していない）。
【００１１】
このようにして反転部６４で反転された被印刷物１００は、反転部６４から冷却部６５へ循環移動される。このとき、リーフ５１は、上記連結された姿勢から垂下姿勢に変化し、ひとたび垂下姿勢になると、この垂下姿勢のまま冷却部６５を循環移動され、グリッパー５５によって基端部が把持された被印刷物１００も垂下状態で冷却部６５を循環移動し、この移動中に冷却される。そして、冷却部６５で冷却された被印刷物１００は、冷却部６５からスタッカー６１側へ循環移動され、投入部６２の下方位置においてグリッパー５５が開くことにより被印刷物１００の基端部の把持が解除され、その後、被印刷物１００は、スタッカー６１に順次集積される。
【００１２】
しかしながら、上述のようなリーフ５１を備えた熱風循環式オートラック乾燥機５０には、以下の問題がある。すなわち、リーフ５１が乾燥機５０の設置面に対して垂直な姿勢から更に反転方向への移動中に、リーフ自身の自重によって重心移動し、この重心移動によって、リーフ５１のストッパー５８の他端部５８ｂとブラケット５７の基部５７ａとの当接状態が解除されて、アームストッパー５９が前方に位置するリーフ５１のアームストッパー５９と当接する姿勢まで（すなわち、上記所定の角度範囲内で）傾斜（回転）してしまう。このとき、リーフ５１の回転角度（傾斜角度）は一定でなく角度が大きくなることから、リーフ５１の動作が不安定になり、またリーフ５１が早く回転する分、このリーフ５１に保持された被印刷物１００に余力に力が加わって被印刷物１００が不安定になり、この被印刷物１００は、図１３に示すようにカール状になっていわゆる腰砕けの状態になり、被印刷物１００に印刷された印刷材料が歪み、その結果、被印刷物１００の印刷品質を低下させてしまう。
【００１３】
本発明は、上述のような従来技術の問題点に鑑みてなされたものであり、リーフが乾燥機の設置面に対して垂直な姿勢から更に反転方向への移動中に、該リーフ自身の自重による重心移動によって所定の角度範囲内で傾斜するときの該リーフの回転角度を一定にさせることにより、被印刷物が腰砕けの状態になるのを防止し、もって、被印刷物の印刷品質の低下を防止することができる熱風循環式オートラック乾燥機を提供することを目的とする。
【課題を解決するための手段】
【００１４】
本発明は、被印刷物を乾燥させるための熱風循環式オートラック乾燥機であって、前記熱風循環式オートラック乾燥機は、コンベアチェーンと、前記コンベアチェーンを駆動させる駆動手段と、前記コンベアチェーンに取り付けられた、前記被印刷物を保持する複数のリーフとを備え、前記複数のリーフを、前記熱風循環式オートラック乾燥機の設置面に対して垂直な平面内で反転させて循環移動させるものであり、前記各リーフは、所定の角度範囲内で傾斜することができるように前記コンベアチェーンにそれぞれ取り付けられており、さらに、前記熱風循環式オートラック乾燥機は、前記リーフが、前記熱風循環式オートラック乾燥機の設置面に対して垂直な姿勢から更に反転方向への移動中に、該リーフ自身の自重による重心移動によって前記所定の角度範囲内で傾斜するときの該リーフの回転角度を一定にする回転角度制御手段を備えていることを特徴とする熱風循環式オートラック乾燥機を提供する。
【００１５】
また、前記回転角度制御手段は、前記熱風循環式オートラック乾燥機の設置面に対して垂直な姿勢から更に反転方向へ移動するリーフに対し、前記所定の角度範囲内で該リーフが傾斜する間摺接し、該リーフの回転角度を一定にしている。また、前記回転角度制御手段は、前記熱風循環式オートラック乾燥機の設置面に対して垂直な姿勢から更に反転方向へ移動するリーフに対し、前記所定の角度範囲内で該リーフが傾斜する間摺接すると共に、該リーフと前方及び後方に位置する複数の他のリーフのうち少なくとも一つのリーフに対しても摺接することができる。
【００１６】
また、前記リーフには、該リーフの軸線方向に対して傾斜したアームストッパーが設けられ、前記リーフは、隣接する他のリーフと、互いのアームストッパーどうしが当接可能になっており、前記アームストッパーの前記リーフの軸線方向に対する傾斜角度は、該リーフが移動方向に前記所定の角度範囲内の最大角度で傾斜する前に、該アームストッパーどうしが当接される角度に設定されており、互いのアームストッパーどうしが当接されて連結された複数のリーフは、前記熱風循環式オートラック乾燥機の設置面に対して垂直な姿勢から更に反転方向へ移動するリーフを含んでおり、前記回転角度制御手段は、前記熱風循環式オートラック乾燥機の設置面に対して垂直な姿勢から更に反転方向へ移動するリーフの前記回転角度を一定にするために、互いのアームストッパーどうしが当接されて連結された複数のリーフのうち少なくとも一つのリーフに対して摺接することができる。また、この場合において、前記回転角度制御手段が摺接するリーフには、前記熱風循環式オートラック乾燥機の設置面に対して垂直な姿勢から更に反転方向へ移動するリーフを除くことができる。
【００１７】
また、前記回転角度制御手段は、位置調節可能である方が好ましい。また、前記回転角度制御手段と前記リーフの少なくとも一方に、該回転角度制御手段と該リーフとの摺接摩擦を低減する摩擦低減手段を設ける方が好ましい。
【００１８】
さらに、本発明は、請求項１乃至７のうちのいずれか一つに記載された熱風循環式オートラック乾燥機を用いて、被印刷物を乾燥させる乾燥方法を提供する。
【発明の効果】
【００１９】
本発明によれば、リーフが乾燥機の設置面に対して垂直な姿勢から更に反転方向への移動中に、該リーフ自身の自重による重心移動によって所定の角度範囲内で傾斜するときの該リーフの回転角度を一定にする回転角度制御手段を備えているため、被印刷物が腰砕けの状態になるのを防止し、もって、被印刷物の印刷品質の低下を防止することができる。
【発明を実施するための最良の形態】
【００２０】
以下、本発明にかかる熱風循環式オートラック乾燥機を実施するための最良の形態について図面を参照しながら述べる。本発明の熱風循環式オートラック乾燥機は、回転角度制御手段を備えている点を除いて、図７乃至図１２に示す熱風循環式オートラック乾燥機と構成が略同じであるため、説明の便宜上、回転角度制御手段以外の構成要素についての説明は省略すると共に、図７乃至図１２に示す熱風循環式オートラック乾燥機の同じ構成要素については同じ符号で示している。
【００２１】
図１には、本発明にかかる熱風循環式オートラック乾燥機の一部分を示している。図１及び図２において、符号１は、本発明の特徴部分である回転角度制御手段を示している。この回転角度制御手段１は、リーフ５１が、熱風循環式オートラック乾燥機の設置面に対して垂直な姿勢から更に反転方向への移動中に、該リーフ自身の自重による重心移動によって所定の角度範囲内で傾斜するときの該リーフの回転角度を一定にするためのものであり、乾燥機５０の本体側に設けられている。回転角度制御手段１は、一対のプレート状カムであり、乾燥機５０の幅方向（図２において左右方向）において一定の間隔をおいて、該幅方向に伸びたステー２に適宜の手段（例えば、ボルトとナットなど）によって取り付けられている。ステー２は、その両端がカム調節レール３に締結されている。具体的に述べると、カム調節レール３は、乾燥機５０の幅方向に直行する方向（図２において上下方向）に伸びており、乾燥機５０の本体の両側部に適宜の手段によって取り付けられている。このカム調節レール３には、その長手方向に伸びた長穴３ａが形成されている。一方、ステー２には、その一端側に短手方向に沿った二つの穴がそれぞれ形成されており、この二つの穴を長穴３ａと整合させ、この整合された穴及び長穴３ａに対してボルト４を貫通させ、このボルトにナットを螺合させることによってステー２はカム調節レール３に締結されている。そして、ボルト４を緩めることにより、上記長穴３ａの長さ寸法の間で、カム調節レール３に対するステー２の締結位置を調整することができ、これによって、回転角度制御手段であるプレート状カム１の位置調節が可能となる。
【００２２】
図１に示す実施形態では、リーフ５１にリーフ５１の軸線方向に対して傾斜したアームストッパー５９が設けられ、リーフ５１は、隣接する他のリーフと、互いのアームストッパー５９どうしが当接可能になっており、アームストッパー５９のリーフ５１の軸線方向に対する傾斜角度は、リーフ５１が移動方向に上所定の角度範囲内の最大角度で傾斜する前（換言すれば、ストッパー５８の一端部５８ａとブラケット５７の基部５７ａとが当接する前（図１２（ａ）等参照））に、該アームストッパーどうしが当接される角度に設定されている。従って、互いのアームストッパー５９どうしが当接されて連結された複数のリーフは、図１によく示すように乾燥機５０の設置面に対して垂直な姿勢から更に反転方向へ移動するリーフ５１ａを含んでいる。
【００２３】
そして、プレート状カム（回転角度制御手段）１は、リーフ５１ａが乾燥機５０の設置面に対して垂直な姿勢から更に反転方向への移動中に、リーフ５１ａ自身の自重による重心移動によって所定の角度範囲内で傾斜するときのリーフ５１ａの回転角度を一定にするために、互いのアームストッパー５９どうしが当接されて連結された複数のリーフのうちの少なくとも一つのリーフ（図示のものは、リーフ５１ａとこのリーフ５１ａの後方に位置する３つのリーフ５１ｂ、５１ｃ、５１ｄ）に対して摺接している。また、この場合において、プレート状カム（回転角度制御手段）１が摺接するリーフには、乾燥機５０の設置面に対して垂直な姿勢から更に反転方向へ移動するリーフ５１ａを除くことが可能である。これは、前述の通り、互いのアームストッパー５９どうしが当接されて連結された複数のリーフが乾燥機５０の設置面に対して垂直な姿勢から更に反転方向へ移動するリーフ５１ａを含んでおり、プレート状カム（回転角度制御手段）１が摺接するリーフが、アームストッパー５９を介してリーフ５１ａと連結されているため、プレート状カム（回転角度制御手段）１がリーフ５１ａ以外のリーフと摺接することにより、間接的にリーフ５１ａの回転角度を一定にすることができるからである。
【００２４】
また、プレート状カム（回転角度制御手段）１とリーフ５１の少なくとも一方には、プレート状カム（回転角度制御手段）１とリーフ５１との摺接摩擦を低減する摩擦低減手段を設けることができる。図３には、その一例として、プレート状カム（回転角度制御手段）１の上面に摩擦低減プレート５が載置され、リーフ５１のアームストッパー５９の、プレート状カム（回転角度制御手段）１と摺接する部分にコロ６が取り付けられた実施態様を示している。また、図４には、プレート状カム（回転角度制御手段）１の、ルーフ５１のアームストッパー５９と摺接する部分に、コロなどの回転体で構成することができる円筒部材７を取り付け、この円筒部材７の円弧状の表面上でアームストッパー５９と摺接するようにした実施形態を示している。
【００２５】
図１、図３及び図４に示す実施態様では、リーフ５１にアームストッパー５９が設けられており、プレート状カム（回転角度制御手段）１は、リーフ５１ａが乾燥機５０の設置面に対して垂直な姿勢から更に反転方向への移動中に、リーフ５１ａ自身の自重による重心移動によって所定の角度範囲内で傾斜するときのリーフ５１ａの回転角度を一定にするために、互いのアームストッパー５９どうしが当接されて連結された複数のリーフのうちの少なくとも一つのリーフに対して摺接しているが、これに限定されない。図５には、アームストッパーが設けられていないリーフ、すなわち、ストッパー５８（図１２（ａ）参照）によって所定の角度範囲内に規制されているだけのリーフを有する乾燥機５０に対応する実施形態を示している。このリーフ５１には、その基端部分にリーフ５１の軸線方向に延びたプレート８が取り付けられている。そして、この回転角度制御手段９は、半円弧状ガイドであり、乾燥機５０の反転部６４において、乾燥機５０の設置面に対して垂直な姿勢から更に反転方向へ移動するリーフ５１ａに対し、上記所定の角度範囲内で該リーフ５１ａが傾斜する間、このリーフ５１ａのプレート８に摺接すると共に、該リーフ５１ａと前方及び後方に位置する複数の他のリーフのうち少なくとも一つのリーフのプレート８に対しても摺接しており、これによって、リーフ５１ａが乾燥機５０の設置面に対して垂直な姿勢から更に反転方向への移動中に、該リーフ自身の自重による重心移動によって所定の角度範囲内で傾斜するときの該リーフの回転角度を一定にしている。図５に示すものは、回転角度制御手段９がリーフ５１ａのプレート８に摺接すると共に、該リーフ５１ａと前方及び後方に位置する複数の他のリーフのうち少なくとも一つのリーフのプレート８に対しても摺接しているが、回転角度制御手段９は、乾燥機５０の設置面に対して垂直な姿勢から更に反転方向へ移動するリーフ５１ａのみに対し、所定の角度範囲内で該リーフが傾斜する間摺接し、該リーフの回転角度を一定にすることも可能である。
【００２６】
また、上述の回転角度制御手段は、リーフ５１ａが乾燥機５０の設置面に対して垂直な姿勢から更に反転方向への移動中に、該リーフ自身の自重による重心移動によって所定の角度範囲内で傾斜する間中、常時このリーフ５１ａに摺接する方が望ましいが、常時でなくてもよく、リーフ５１ａが傾斜する間の一時的にのみリーフ５１ａに摺接させることも可能である。図６には、その実施形態を示している。図６に示すアームストッパー１０は、アームストッパー５９と形状が異なり、ブーメラン状に形成されている。そして、リーフ５１ａが傾斜する間の一時的にのみリーフ５１ａと摺接するように回転角度制御手段としてのコロ１１が配置されている。
【図面の簡単な説明】
【００２７】
【図１】図１は、本発明にかかる熱風循環式オートラック乾燥機の実施の形態を示す部分側面図である。
【図２】図２は、上記実施の形態を示す部分平面図である。
【図３】図３は、別の実施の形態を示す部分側面図である。
【図４】図４は、さらに別の実施の形態を示す部分側面図である。
【図５】図５は、さらに別の実施の形態を示す部分側面図である。
【図６】図６は、さらに別の実施の形態を示す部分側面図である。
【図７】図７は、本発明にかかる熱風循環式オートラック乾燥機を示す概略図である。
【図８】図８は、従来の乾燥機の一例を示す部分側面図である。
【図９】図９は、従来の乾燥機の一例を示す別の部分側面図である。
【図１０】図１０は、従来の乾燥機に適用可能なリーフの一例を示す平面図である。
【図１１】図１１は、図１０においてＡ−Ａ断面からみた側面図である。
【図１２】図１２（ａ）は、ストッパーの一例を示す側面図、図１２（ｂ）は、その正面図である。
【図１３】図１３は、従来の乾燥機の一例を示すさらに別の部分側面図である。
【符号の説明】
【００２８】
１    回転角度制御手段（プレート状カム）
２    ステー
３    カム調節レール
３ａ  長穴
４    ボルト
５    摩擦低減プレート
６    コロ
７    円筒部材
８    プレート
９    回転角度制御手段（半円弧状ガイド）
１０    アームストッパー
１１    コロ
２０    印刷機
５０    熱風循環式オートラック乾燥機
５１    リーフ
５２    メインシャフト
５３    リーフ部（中心リーフ部）
５４    スプリング用シャフト
５５    グリッパー
５５ａ  基端部
５５ｂ  先端部
５６    キックスプリング
５７    ブラケット
５７ａ  基部
５７ｂ  円筒部
５８    ストッパー
５８ａ  一端部
５８ｂ  他端部
５９    アームストッパー
６０    スプロケット
６１    スタッカー
６２    投入部
６３    熱風乾燥部
６４    反転部
６５    冷却部
１００    被印刷物
【図１】
0004402706.tif 000002
【図２】
0004402706.tif 000003
【図３】
0004402706.tif 000004
【図４】
0004402706.tif 000005
【図５】
0004402706.tif 000006
【図６】
0004402706.tif 000007
【図７】
0004402706.tif 000008
【図８】
0004402706.tif 000009
【図９】
0004402706.tif 000010
【図１０】
0004402706.tif 000011
【図１１】
0004402706.tif 000012
【図１２】
0004402706.tif 000013
【図１３】
0004402706.tif 000014